(57)【要約】携帯端末装置（１）が、少なくとも、使用者の顧客ＩＤおよび複数の課金口座のうちのいずれかの課金口座についての課金口座情報を送信し、制御サーバ（３）の顧客データベース（４１）に予め記憶している使用者の顧客ＩＤと、その顧客ＩＤに関連付けられている複数の課金口座情報とに基づいて、携帯端末装置（１）から送信された顧客ＩＤにより使用者を特定し、携帯端末装置（１）から送信された課金口座情報により、特定した使用者の開設している複数の口座の中から課金先の課金口座を決定する。これにより、商品やサービスの料金を複数の口座のうちの所望の口座に課金することができる。
2002082336.tif 000002
【特許請求の範囲】
【請求項１】
料金を使用者の開設する口座に対して課金する課金システムにおいて、
上記使用者の識別子を少なくとも記憶し、複数の課金口座のうちのいずれかの課金口座についての課金口座情報を出力する携帯装置と、
使用者の識別子と、その識別子に対して複数の課金口座情報とを記憶する記憶手段と、上記携帯装置から得られた上記識別子により使用者を特定し、上記携帯装置から得られた上記課金口座情報により課金先の課金口座を決定する課金手段とを有する制御サーバと、
を備えることを特徴とする課金システム。
【請求項２】
前記携帯装置から前記識別子および前記課金口座情報を受け取り、前記制御サーバへ送信する端末装置を備え、
上記端末装置は、前記使用者に対する課金額を、前記識別子および前記課金口座情報とともに前記制御サーバへ送信し、
前記制御サーバは、決定した課金先の課金口座に対してその課金額を課金すること、
を特徴とする請求の範囲第１項記載の課金システム。
【請求項３】
前記携帯装置は、前記使用者の識別子を記憶する携帯装置側記憶手段と、前記複数の課金口座情報に基づいて前記課金口座の一覧を表示する表示手段と、前記使用者の操作を受ける入力手段と、上記入力手段に対する前記使用者の操作に応じて前記複数の課金口座のうちのいずれかを選択する選択手段と、上記選択手段により選択された前記課金口座の課金口座情報を出力する出力手段とを有する携帯端末装置であることを特徴とする請求の範囲第１項または第２項記載の課金システム。
【請求項４】
前記携帯装置の携帯装置側記憶手段は、前記使用者の有する複数の課金口座についての複数の課金口座情報を記憶することを特徴とする請求の範囲第３項記載の課金システム。
【請求項５】
前記制御サーバは、前記記憶手段に記憶された前記使用者の識別子に対する前記複数の課金口座情報を前記携帯装置へ送信し、
前記携帯装置の前記表示手段は、前記制御サーバから送信されてきた前記複数の課金口座情報に基づいて前記課金口座の一覧を表示すること、
を特徴とする請求の範囲第３項記載の課金システム。
【請求項６】
前記携帯装置は、前記使用者の識別子および前記複数の課金口座のうちのいずれかの課金口座についての課金口座情報を記憶し、その課金口座情報を書き換え可能であって、前記使用者の識別子および課金口座情報が読み取り可能なカードであることを特徴とする請求の範囲第１項または第２項記載の課金システム。
【請求項７】
前記携帯装置は、前記使用者の識別子を記憶し、その課金口座情報を書き換え可能であって、前記使用者の識別子が読み取り可能なカードであり、
前記制御サーバは、前記記憶手段に記憶された前記使用者の識別子に対する前記複数の課金口座情報を前記端末装置へ送信し、
前記端末装置は、前記制御サーバから送信されてきた前記複数の課金口座情報に基づいて前記課金口座の一覧を表示し、前記使用者による操作に応じて前記複数の課金口座のうちのいずれかを選択し、選択した課金口座情報を前記制御サーバへ送信すること、
を特徴とする請求の範囲第２項記載の課金システム。
【請求項８】
前記制御サーバは、課金口座の指定がなされない場合に、所定の課金口座を課金先とすることを特徴とする請求の範囲第１項記載の課金システム。
【請求項９】
前記携帯装置は、使用者の享受する商品および／またはサービスの種類といずれかの前記課金口座情報との対応関係を記憶し、商品および／またはサービスを享受して料金が前記使用者に発生した場合に、その商品および／またはサービスと対応関係を有する課金口座情報を出力することを特徴とする請求の範囲第１項記載の課金システム。
【請求項１０】
前記携帯装置は、複数の相手先電話番号を分類して記憶し、通話時にその通話相手の電話番号の属する分類の情報を前記課金口座情報として出力する移動体電話機であり、
前記制御サーバの記憶手段は、前記使用者の識別子として前記携帯装置の電話番号を記憶するとともに、その使用者に対応する前記複数の課金口座情報を上記通話相手の電話番号の属する分類に関連付けて記憶し、
前記制御サーバの課金手段は、前記携帯装置による通話の際に、その携帯装置の電話番号から使用者を特定し、その携帯装置から送信されてくる前記通話相手の電話番号の属する分類に対応する前記課金口座情報に基づいて、その通話についての料金の課金先となる課金口座を決定すること、
を特徴とする請求の範囲第１項記載の課金システム。
【請求項１１】
料金を使用者の開設する口座に対して課金する課金方法において、
携帯装置が、上記使用者の識別子、および複数の課金口座のうちのいずれかの課金口座についての課金口座情報を送信するステップと、
制御サーバの顧客データベースに予め記憶している使用者の識別子とその識別子に関連付けられている複数の課金口座情報とに基づいて、上記携帯装置から送信された上記識別子により使用者を特定し、上記携帯装置から送信された上記課金口座情報により、特定した上記使用者の開設している複数の課金口座の中から課金先の課金口座を決定するステップと、
を備えることを特徴とする課金方法。
【請求項１２】
料金を課金する口座を開設している使用者の携帯装置において、
上記使用者の識別子を少なくとも記憶する携帯装置側記憶手段と、
上記使用者の開設する複数の課金口座のうちのいずれかの課金口座についての課金口座情報を出力する出力手段と、
を備えることを特徴とする携帯装置。
【請求項１３】
料金を課金する口座を開設している使用者の識別子と、その識別子に対して複数の課金口座情報とを記憶する記憶手段と、
上記記憶手段における上記使用者の識別子および上記複数の課金口座情報を参照して、上記使用者の携帯装置から得られたその使用者の識別子により使用者を特定し、上記使用者の携帯装置から得られた課金口座情報により課金先の課金口座を決定する課金手段と、
を備えることを特徴とする制御サーバ。
【請求項１４】
料金を使用者の開設する口座に対して課金する課金システムにおいて、
複数の相手先電話番号、および上記使用者の開設する複数の課金口座についての複数の課金口座情報を、各相手先電話番号といずれかの上記課金口座情報とを関連づけて記憶し、通話時にその通話相手の相手先電話番号に関連付けられている上記課金口座情報を出力する移動体電話機と、
上記移動体電話機から得られた上記課金口座情報により課金先の課金口座を決定する制御サーバと、
を備えることを特徴とする課金システム。
【請求項１５】
料金を使用者の開設する口座に対して課金する課金システムにおいて、
複数の相手先電話番号を分類して記憶するとともに、複数の分類のそれぞれに上記使用者の開設する課金口座を関連付け、複数の上記課金口座についての複数の課金口座情報を記憶し、通話時にその通話相手の電話番号の属する分類に関連付けられている課金口座についての上記課金口座情報を出力する移動体電話機と、
上記移動体電話機から得られた上記課金口座情報により課金先の課金口座を決定する制御サーバと、
を備えることを特徴とする課金システム。
【発明の詳細な説明】
技術分野
本発明は、商品やサービスの対価としての料金を使用者の開設している口座に対して課金する課金システム、課金方法、それに使用される携帯装置および制御サーバに関するものである
背景技術
例えばクレジット決済などにおいて、商品やサービスの対価としての料金を使用者の開設している口座に対して課金する場合、通常、単一の口座に対して課金がなされる。
一方、顧客の消費活動の多様化により、１人の顧客が用途別に複数の決済口座を開設している場合が増えてきている。例えば、光熱費などの家庭内の費用を決済する場合と、個人的な目的の費用を決済する場合とで別々の決済口座を開設したり、さらに、業務上の費用を決済する場合にさらに別の決済口座を開設したりしている。
また、携帯電話サービスでは、通話料金などの料金は、通常、単一の口座に対して課金される。他方、ＰＨＳ（Ｐｅｒｓｏｎａｌ  Ｈａｎｄｙｐｈｏｎｅ  Ｓｙｓｔｅｍ）には、２つの課金口座を使用できる分計サービスがある。分計サービスとは、主計および分計のいずれかの請求先を選択した後に発信すると、選択した請求先にその通話の料金が課金されるものである。
このような携帯電話サービスでは、通話サービスの他、インターネットと接続し、ウェブページの閲覧や電子メールの送受信などのデータ通信が提供されているが、これらの通信料金も、通話料金の課金口座に対して課金される。
しかしながら、用途に応じて課金先の口座を使い分けようとすると、例えばそれぞれに専用のクレジットカードを合計２枚所有しなければならない。
また、通話料金を例えば仕事用と私用とで別々に課金するようにするには、上述のように、通話のたびに通話の相手に応じて請求先を選択する必要があり、不便である。
さらに、上述のように、移動体電話機では通話サービスの他、データ通信サービスなども可能であるが、サービスごとに異なる口座に課金することが困難である。
本発明は、上記の問題を解決するためになされたもので、商品やサービスの料金を、複数の口座のうちの所望の口座に課金することができる課金システム、課金方法、携帯装置および制御サーバを得ることを目的とする。
発明の開示
本発明の課金システムは、使用者の識別子を少なくとも記憶し、複数の課金口座のうちのいずれかの課金口座についての課金口座情報を出力する携帯装置と、使用者の識別子と、その識別子に対して複数の課金口座情報とを記憶する記憶手段と、携帯装置から得られた識別子により使用者を特定し、携帯装置から得られた課金口座情報により課金先の課金口座を決定する課金手段とを有する制御サーバとを備えている。
この課金システムを利用すると、商品やサービスの料金を、複数の口座のうちの所望の口座に課金することができる。
さらに、本発明の課金システムは、上記発明の課金システムに加え、携帯装置から識別子および課金口座情報を受け取り、制御サーバへ送信する端末装置を備え、その端末装置が、使用者に対する課金額を、識別子および課金口座情報とともに制御サーバへ送信し、制御サーバが、決定した課金先の課金口座に対してその課金額を課金するようにしたものである。
この課金システムを利用すると、さらに、端末装置から制御サーバへの既存の通信路を使用すれば安価でシステムを実現することができる。また、使用者が課金額を入力などする必要がない。
さらに、本発明の課金システムは、上記各発明の課金システムに加え、携帯装置として携帯端末装置を使用し、その携帯端末装置が、使用者の識別子を記憶する携帯装置側記憶手段と、携帯装置側記憶手段に記憶された複数の課金口座情報に基づいて課金口座の一覧を表示する表示手段と、使用者の操作を受ける入力手段と、入力手段に対する使用者の操作に応じて複数の課金口座のうちのいずれかを選択する選択手段と、選択手段により選択された課金口座の課金口座情報を出力する出力手段とを有する。
この課金システムを利用すると、さらに、使用者が課金先の口座を視覚的に簡単に確認でき、課金先の間違える可能性を低くすることができるとともに、口座の選択操作を簡単にすることができる。
さらに、本発明の課金システムは、上記各発明の課金システムに加え、携帯装置の携帯装置側記憶手段が、使用者の有する複数の課金口座についての複数の課金口座情報を記憶するようにしたものである。
この課金システムを利用すると、さらに、携帯装置側記憶手段から複数の課金口座情報を読み出すことで、課金口座の一覧を素早く表示することができる。
さらに、本発明の課金システムは、上記各発明の課金システムに加え、制御サーバが、記憶手段に記憶された使用者の識別子に対する複数の課金口座情報を携帯装置へ送信し、携帯装置の表示手段が、制御サーバから送信されてきた複数の課金口座情報に基づいて課金口座の一覧を表示するようにしたものである。
この課金システムを利用すると、さらに、携帯装置に複数の課金口座情報を記憶しておく必要がなくなり、携帯装置のコストを低くすることができる。
さらに、本発明の課金システムは、上記各発明の課金システムに加え、携帯装置としてカードを使用し、そのカードが、使用者の識別子および複数の課金口座のうちのいずれかの課金口座についての課金口座情報を記憶し、その課金口座情報を書き換え可能であって、その使用者の識別子および課金口座情報が読み取り可能としたものである。
この課金システムを利用すると、さらに、用途に応じた課金口座情報を予めカードに記憶させておくことで、店舗などで簡単に代金決済を行うことができる。
さらに、本発明の課金システムは、上記各発明の課金システムに加え、携帯装置としてカードを使用し、そのカードが、使用者の識別子を記憶し、その課金口座情報を書き換え可能であって、その使用者の識別子が読み取り可能としたものであり、制御サーバが、記憶手段に記憶された使用者の識別子に対する複数の課金口座情報を端末装置へ送信し、端末装置が、制御サーバから送信されてきた複数の課金口座情報に基づいて課金口座の一覧を表示し、使用者による操作に応じて複数の課金口座のうちのいずれかを選択し、選択した課金口座情報を制御サーバへ送信するようにしたものである。
この課金システムを利用すると、さらに、携帯装置に課金口座情報を記憶しておく必要がなくなり、携帯装置であるカードのコストを低くすることができる。
さらに、本発明の課金システムは、上記各発明の課金システムに加え、制御サーバが、課金口座の指定がなされない場合に、所定の課金口座を課金先とするようにしたものである。
この課金システムを利用すると、さらに、主に使用する口座が決まっている場合には、その口座への課金する際に選択操作を省略することができ、使用者の利便性が向上する。
さらに、本発明の課金システムは、上記各発明の課金システムに加え、携帯装置が、使用者の享受する商品および／またはサービスの種類といずれかの課金口座情報との対応関係を記憶し、商品および／またはサービスを享受して使用者に対して料金が発生した場合に、その商品および／またはサービスと対応関係を有する課金口座情報を出力するようにしたものである。
この課金システムを利用すると、さらに、使用者が携帯装置を操作して自己の享受する商品やサービスを選択すれば、どの商品やサービスがどの口座に課金されるかを使用者が記憶しておく必要がなくなるとともに、課金先口座の選択を失敗する可能性を低くすることができる。
さらに、本発明の課金システムは、上記各発明の課金システムに加え、携帯装置として移動体電話機を使用し、その移動体電話機が、複数の相手先電話番号を分類して記憶し、通話時にその通話相手の電話番号の属する分類の情報を課金口座情報として出力し、また、制御サーバの記憶手段が、使用者の識別子として携帯装置の電話番号を記憶するとともに、その使用者に対応する複数の課金口座情報を通話相手の電話番号の属する分類に関連付けて記憶し、制御サーバの課金手段が、携帯装置による通話の際に、その携帯装置の電話番号から使用者を特定し、その携帯装置から送信されてくる通話相手の電話番号の属する分類に対応する課金口座情報に基づいて、その通話についての料金の課金先となる課金口座を決定するようにしたものである。
この課金システムを利用すると、さらに、携帯装置としての移動体電話機の通話料金を、通話相手に応じた課金先の口座に自動的に課金することができる。
さらに、本発明の課金方法は、携帯装置が、使用者の識別子、および複数の課金口座のうちのいずれかの課金口座についての課金口座情報を送信するステップと、制御サーバの顧客データベースに予め記憶している使用者の識別子と、その識別子に関連付けられている複数の課金口座情報とに基づいて、携帯装置から送信された識別子により使用者を特定し、携帯装置から送信された課金口座情報により、特定した使用者の開設している複数の課金口座の中から課金先の課金口座を決定するステップとを備えている。
この課金方法を利用すると、商品やサービスの料金を、複数の口座のうちの所望の口座に課金することができる。
本発明の携帯装置は、使用者の識別子を少なくとも記憶する携帯装置側記憶手段と、その使用者の開設する複数の課金口座のうちのいずれかの課金口座についての課金口座情報を出力する出力手段とを備えている。
この携帯装置を利用すると、この携帯装置を使用者が操作することで、課金システムにおいて、商品やサービスの料金を、複数の口座のうちの所望の口座に課金することができる。
本発明の制御サーバは、料金を課金する口座を開設している使用者の識別子とその識別子に対して複数の課金口座情報とを記憶する記憶手段と、この記憶手段における使用者の識別子および複数の課金口座情報を参照して、使用者の携帯装置から得られた識別子により使用者を特定し、使用者の携帯装置から得られた課金口座情報により、課金先の課金口座を決定する課金手段とを備えている。
この制御サーバを利用すると、課金システムにおいて、商品やサービスの料金を、複数の口座のうちの所望の口座に課金することができる。
本発明の課金システムは、複数の相手先電話番号、および使用者の開設する複数の課金口座についての複数の課金口座情報を、各相手先電話番号といずれかの課金口座情報とを関連づけて記憶し、通話時にその通話相手の相手先電話番号に関連付けられている課金口座情報を出力する移動体電話機と、その移動体電話機から得られた課金口座情報により課金先の課金口座を決定する制御サーバとを備えている。
この課金システムを利用すると、移動体電話機の通話料金を、複数の口座のうちの所望の口座に課金することができる。また、移動体電話機に課金口座情報が登録されているため、使用者が移動体電話機を適宜操作して、課金口座情報を簡単に編集することができる。
本発明の課金システムは、複数の相手先電話番号を分類して記憶するとともに、複数の分類のそれぞれに使用者の開設する課金口座を関連付け、複数の課金口座についての複数の課金口座情報を記憶し、通話時にその通話相手の電話番号の属する分類に関連付けられている課金口座についての課金口座情報を出力する移動体電話機と、その移動体電話機から得られた課金口座情報により課金先の課金口座を決定する制御サーバとを備えている。
この課金システムを利用すると、移動体電話機の通話料金を、複数の口座のうちの所望の口座に課金することができる。また、移動体電話機に課金口座情報が登録されているため、使用者が移動体電話機を適宜操作して、課金口座情報を簡単に編集することができる。さらに、相手先電話番号の分類に対して課金口座情報が関連付けられるため、例えば仕事、私用といった、使用者の認識し易い分類に基づいて課金先が区別される。
発明を実施するための最良の形態
以下、図に基づいて本発明の実施の形態を説明する。
実施の形態１．
第１図は、本発明の実施の形態１に係る課金システムの構成を示すブロック図である。
第１図において、携帯端末装置１は、この課金システムの使用者ごとに、使用者の識別子である顧客ＩＤを少なくとも記憶し、その使用者の開設している複数の課金口座のうちのいずれかの課金口座についての課金口座情報を出力する、移動体電話機、ＰＤＡ（Ｐｅｒｓｏｎａｌ  Ｄｉｇｉｔａｌ  Ａｓｓｉｓｔａｎｔ）といった携帯装置である。
なお、使用者の顧客ＩＤは変更できないようにＲＯＭ（Ｒｅａｄ  Ｏｎｌｙ  Ｍｅｍｏｒｙ）に記憶しておき、課金口座情報は、変更可能なように不揮発性のＲＡＭ（Ｒａｎｄｏｍ  Ａｃｃｅｓｓ  Ｍｅｍｏｒｙ）やＥＥＰＲＯＭ（Ｅｌｅｃｔｒｉｃ  Ｅｒａｓａｂｌｅ  Ｐｒｏｇｒａｍｍａｂｌｅ  ＲＯＭ）などに記憶しておくようにしてもよい。また、課金口座情報は、使用者が携帯端末装置１を操作して入力したものを記憶するようにしてもよいし、図示せぬ外部装置から供給したものを記憶するようにしてもよい。
また、ＰＯＳ端末２は、各種店舗に設置され、商品等に付されたバーコードなどを読み取り、その商品等の決済を行うレジスタ機能や、商品等の情報を図示せぬセンタなどとの間で授受する端末装置であって、さらに、受信回路３１により、携帯端末装置１から送信されてくる顧客ＩＤおよび課金口座情報を受け取り、制御サーバ３へそれらの情報とともにその使用者に対する課金額を送信する端末装置である。
さらに、制御サーバ３は、携帯端末装置１から得られた顧客ＩＤにより使用者を特定し、携帯端末装置１から得られた課金口座情報により課金先の課金口座を決定し、いずれかの課金サーバ４の管理するその課金口座にＰＯＳ端末２からの課金額を課金するサーバ装置である。
なお、ＰＯＳ端末２と制御サーバ３との間は専用回線を使用して接続してもよいし、クレジット決済の使用されているＣＡＴ（Ｃｒｅｄｉｔ  Ａｕｔｈｏｒｉｚａｔｉｏｎ  Ｔｅｒｍｉｎａｌ）システム用の回線を利用してもよい。
さらに、課金サーバ４は、顧客（使用者）の課金口座情報を管理するサーバ装置である。なお、課金サーバ４は、ある顧客に対する複数の課金口座情報を管理する１つのサーバ装置でもよく、あるいは第１図に示すように複数でもよい。例えば、各課金サーバ４を各金融機関が所有し、各金融機関ごとに、顧客が開設している口座を管理するようにしてもよい。また、制御サーバ３と課金サーバ４とを１つのサーバ装置として実現してもよい。なお、制御サーバ３と課金サーバ４との間は専用回線などを使用して通信路の安全性を確保する。
第２図は、第１図における携帯端末装置１の構成を示すブロック図である。
第２図において、携帯装置側記憶手段１１は、使用者の識別子である顧客ＩＤ２１およびその使用者の有する複数の課金口座についての複数の課金口座情報２２を記憶する不揮発性のメモリである。
また、通信手段１２は、携帯装置側記憶手段１１に記憶された使用者の識別子と、使用者の操作に基づいて選択された課金口座の課金口座情報をＰＯＳ端末２へ出力する出力手段として機能する回路である。なお、携帯端末装置１からＰＯＳ端末２への通信形態としては、電波や赤外線などを利用した無線通信を使用してもよいし、携帯端末装置１をＰＯＳ端末２へ接続または接触させた上で有線通信を使用してもよい。また、この際の無線通信としては、ブルートゥース（Ｂｌｕｅ  Ｔｏｏｔｈ）技術を使用してもよい。
さらに、表示手段１３は、各種情報を表示するとともに、携帯装置側記憶手段１１に記憶された複数の課金口座情報２２に基づいて課金口座の一覧を表示する液晶ディスプレイなどの装置である。
入力手段１４は、使用者の操作を受ける矢印キー、テンキー、筆圧などの押圧を感知するタブレットといった装置である。
通信手段１５は、移動体電話通信網を介して音声信号の送受、各種データの送受を行う送受信回路である。なお、この通信手段１５は本実施の形態１では特に必要とされない。
制御手段１６は、この携帯端末装置１本来の機能（例えば、移動体電話機能やパーソナルコンピュータとしての機能）を実現するために各部を制御する制御回路であって、入力手段１４に対する使用者の操作に応じて複数の課金口座のうちのいずれかを選択する選択手段として機能する回路である。なお、この制御手段１６は、ハードウェアとして実現してもよいし、そのような機能を記述したプログラムおよびそのプログラムを実行するＣＰＵとして、すなわちソフトウェアとして実現してもよい。
第３図は、第１図における制御サーバ３の構成を示すブロック図である。
第３図において、顧客データベース４１は、各使用者の顧客ＩＤとその使用者の開設している１または複数の課金口座情報とを関連付けて記憶する記憶手段としてのデータベースである。
第４図は、制御サーバ３における顧客データベース４１の一例を示す図である。各使用者には予め顧客ＩＤが割り当てられている。また、課金時に使用者を認証するための暗証情報を設定可能となっており、第４図に示すように顧客データベース４１には、顧客ＩＤと暗証情報が使用者ごとに記憶されている。
また、第４図に示すように、各使用者の顧客ＩＤに関連付けてその使用者の開設している１または複数の課金口座情報（金融機関の名称や番号、本店、支店といった店舗の名称や番号、口座の種類、口座番号など）、課金口座の数、登録されている口座の中から、特に課金先の口座を指定されなかった場合に課金先とする口座（以下、メイン口座という）を示すメイン口座情報などが記憶されている。
すなわち、第４図に示す場合では、ある使用者に対して顧客ＩＤとして「ＸＸＸ０００１」が登録されており、その顧客ＩＤに対して暗証情報「Ｕｘｓｊ０１９ａ」が設定されている。さらに、２つの課金口座情報が登録されており、そのうちの第２番目の課金口座情報の口座がメイン口座に設定されている。
第３図に戻り、通信手段４２は、ＰＯＳ端末２から使用者の顧客ＩＤ、課金口座情報、および課金額を受信する回路である。
また、制御手段４３は、顧客データベース４１に登録されている顧客ＩＤを検索して、携帯端末装置１からＰＯＳ端末２を介して得られた顧客ＩＤにより使用者を特定し、携帯端末装置１からＰＯＳ端末２を介して得られた課金口座情報により、その使用者が開設している口座の中から課金先の課金口座を決定する課金手段として機能する回路である。なお、この制御手段４３は、ハードウェアとして実現してもよいし、そのような機能を記述したプログラムおよびそのプログラムを実行するＣＰＵとして、すなわちソフトウェアとして実現してもよい。
さらに、通信手段４４は、課金先の課金口座を有する課金サーバ４へ課金口座情報および課金額を送信する回路である。
次に、上記課金システムの各装置の動作について説明する。すなわち、本発明の実施の形態１に係る課金方法について説明する。
店舗などで携帯端末装置１の使用者が商品等を購入した際に、まず、使用者は、携帯端末装置１の入力手段１４に対して所定の操作を行う。
携帯端末装置１の制御手段１６は、使用者による所定の操作に対応する信号を入力手段１４から受け取ると、携帯装置側記憶手段１１に記憶された課金先に指定可能な口座の課金口座情報２２を読み出し、その口座の一覧を表示手段１３に表示させる。
使用者は、入力手段１４を操作して、この口座の一覧から今回の購入代金の課金先を選択する。なお、この際、この使用者の顧客ＩＤに暗証情報が予め設定されている場合には、入力手段１４を操作して、その暗証情報も入力する。
制御手段１６は、使用者による口座の選択操作に対応する信号を入力手段１４から受け取ると、表示手段１３に表示させた口座の一覧から使用者が選択した口座に対応する課金口座情報２２を読み出す。
そして、携帯端末装置１の制御手段１６は、さらにこの使用者の顧客ＩＤ２１を携帯装置側記憶手段１１から読み出し、通信手段１２を制御して、この顧客ＩＤ２１および課金先の口座についての課金口座情報２２をＰＯＳ端末２へ送信させる。なお、暗証情報の入力があった場合には、その暗証情報も併せて送信させる。
ＰＯＳ端末２の受信回路３１は、携帯端末装置１からの顧客ＩＤおよび課金口座情報を受信する。また、ＰＯＳ端末２では、従来のＰＯＳ端末と同様にして、使用者に請求される代金が計算される。ＰＯＳ端末２は、この代金の一部または全部を使用者の希望に応じて課金額とし、携帯端末装置１から受信した顧客ＩＤおよび課金口座情報とともに、この課金額を制御サーバ３へ送信する。なお、携帯端末装置１から暗証情報が併せて受信された場合には、ＰＯＳ端末２は、これらの情報とともに暗証情報も制御サーバ３へ送信する。
制御サーバ３の通信手段４２は、ＰＯＳ端末２から顧客ＩＤ、課金口座情報および課金額を受信すると、制御手段４３に供給する。制御手段４３は、まず顧客データベース４１に登録されている多数の顧客ＩＤを検索して、送信されてきた顧客ＩＤの発見を試みる。
顧客データベース４１でその顧客ＩＤが発見された場合、制御手段４３は、次に、顧客ＩＤに対して登録されている１または複数の課金口座情報を検索して、送信されてきた課金口座情報の発見を試みる。
なお、ＰＯＳ端末２から暗証情報が併せて受信された場合には、制御手段４３は、その送信されてきた暗証情報と、その顧客ＩＤに対して登録されている暗証情報とを照合し、両者が一致した場合、課金口座情報の発見を試みる。
顧客データベース４１でその課金口座情報が発見された場合、制御手段４３は、その課金口座情報が示す口座を今回の課金先の口座に決定する。
そして、制御サーバ３の制御手段４３は、通信手段４４を制御して、今回の課金先の口座を有する課金サーバ４へ向けて、課金口座情報および課金額を送信する。課金サーバ４は、制御サーバ３からこの課金口座情報および課金額を受信すると、この課金口座情報の示す口座に対して、課金額の示す金額の課金処理を行う。なお、例えば月単位で、各課金口座への課金額を集計してまとめて課金するようにしてもよい。
一方、顧客データベース４１で、顧客ＩＤが発見できなかった場合、暗証情報が一致しなかった場合および課金口座情報が一致しなかった場合は、課金処理を行わず、例えば、エラーメッセージを制御サーバ３からＰＯＳ端末２、あるいはＰＯＳ端末２を介して携帯端末装置１へ送信する。
このようにして、携帯端末装置１が、少なくとも、使用者の顧客ＩＤおよび複数の課金口座のうちのいずれかの課金口座についての課金口座情報を送信し、制御サーバ３の顧客データベース４１に予め記憶している使用者の顧客ＩＤと、その顧客ＩＤに関連付けられている複数の課金口座情報とに基づいて、携帯端末装置１から送信された顧客ＩＤにより使用者を特定し、携帯端末装置１から送信された課金口座情報により、特定した使用者の開設している複数の口座の中から課金先の課金口座を決定する。
なお、メイン口座へ課金したい場合には、使用者は、携帯端末装置１に対して所定の操作を行う。この操作に対応して、携帯端末装置１は、課金可能な口座の一覧を表示せずに、顧客ＩＤだけ（あるいは、顧客ＩＤおよび入力された暗証情報）を送信する。ＰＯＳ端末２は、携帯端末装置１から受信した情報に課金額を付加して、制御サーバ３へ転送する。制御サーバ３は、送信されてきた情報に課金口座情報が含まれていない場合には、顧客データベース４１に予め登録されているメイン口座情報を読み出し、そのメイン口座情報が指定している課金口座情報に基づいて課金先の口座を決定する。
これにより、メイン口座へ課金したい場合には、口座の選択操作が必要なくなり、使用者の利便性が向上する。
なお、上記実施の形態１では、携帯端末装置１がＰＯＳ端末２に対して顧客ＩＤなどを送信し、ＰＯＳ端末２が受信した情報に課金額を付加して制御サーバ３へそれらの情報を転送しているが、携帯端末装置１が、インターネットなどを介して、オンラインショップを開設している端末装置あるいはサーバへ接続し、暗号技術などにより通信路の安全性を確保した上で、その端末装置あるいはサーバへ顧客ＩＤなどを送信し、その端末装置あるいはサーバが、オンラインショップでの支払代金を課金額として、制御サーバ３へそれらの情報を転送することも同様に可能である。
なお、上記実施の形態１では、使用者の選択操作に基づいて課金先の口座を選択しているが、携帯端末装置１が、使用者の享受する商品やサービス（例えば、ＷＷＷ上の有料サービス、特定の店舗で提供されるものなど）の種類と、いずれかの課金口座情報との対応関係を予め記憶し、使用者がその商品やサービスを享受して課金が発生した場合に、その商品やサービスと対応関係を有する課金口座情報を選択して送信するようにしてもよい。
この場合、携帯端末装置１は、表示手段１３にそのような商品やサービスの一覧を表示させ、使用者の選択操作に基づいて、その一覧から今回の商品やサービスを選択し、その選択した商品やサービスに関連付けられている課金口座情報を選択するようにすればよい。また、例えば電子メールサービスなど、その携帯端末装置１において使用しているプログラムなどからサービスを特定可能な場合には、そのような一覧を表示せずに、自動的にそのサービスに関連付けられている課金口座情報を選択するようにしてもよい。
これにより、使用者が携帯端末装置１を操作して自己の享受する商品やサービスを選択すれば、どの商品やサービスがどの口座に課金されるかを使用者が記憶しておく必要がなくなるとともに、課金先口座の選択を失敗する可能性が低くなる。
なお、上記実施の形態１では、携帯端末装置１の携帯装置側記憶手段１１に、複数の課金口座情報が記憶されているが、制御サーバ３が、顧客データベース４１に記憶されたその携帯端末装置１の使用者の顧客ＩＤに対する複数の課金口座情報を携帯端末装置１へＰＯＳ端末２を介して送信し、携帯端末装置１の通信手段１２がその複数の課金口座情報を受信し、制御手段１６が、表示手段１３に、その複数の課金口座情報に基づいて課金口座の一覧を表示させるようにしてもよい。
これにより、携帯端末装置１に複数の課金口座情報を記憶しておく必要がなくなるため、携帯装置側記憶手段１１の記憶容量が少なくて済み、携帯端末装置１のコストを低くすることができる。
以上のように、上記実施の形態１によれば、携帯端末装置１が、使用者の顧客ＩＤ２１を少なくとも記憶し、複数の課金口座のうちのいずれかの課金口座についての課金口座情報２２を出力し、制御サーバ３が、使用者の顧客ＩＤ、およびその顧客ＩＤに対して複数の課金口座情報とを記憶する顧客データベース４１と、携帯端末装置１から得られた顧客ＩＤにより使用者を特定し、携帯端末装置１から得られた課金口座情報により、課金先の課金口座を決定する制御手段４３とを有する。これにより、商品やサービスの料金を、複数の口座のうちの所望の口座に課金することができる。
また、上記実施の形態１によれば、携帯端末装置１から顧客ＩＤおよび課金口座情報を受け取り、制御サーバ３へ送信するＰＯＳ端末２を備え、そのＰＯＳ端末２が、使用者に対する課金額を、その使用者の顧客ＩＤおよび課金口座情報とともに制御サーバ３へ送信し、制御サーバ３が、決定した課金先の課金口座に対してその課金額を課金するようにした。これにより、さらに、ＰＯＳ端末２から制御サーバ３への既存の通信路を使用すれば安価でシステムを実現することができる。また、使用者が課金額を入力などする必要がない。
さらに、上記実施の形態１によれば、携帯端末装置１が、使用者の顧客ＩＤ２１およびその使用者の有する複数の課金口座についての複数の課金口座情報２２を記憶する携帯装置側記憶手段１１と、その携帯装置側記憶手段１１に記憶された複数の課金口座情報に基づいて課金口座の一覧を表示する表示手段１３と、使用者の操作を受ける入力手段１４と、入力手段１４に対する使用者の操作に応じて複数の課金口座のうちのいずれかを選択する制御手段１６と、その制御手段１６により選択された課金口座の課金口座情報を出力する通信手段１２とを有する。これにより、さらに、使用者が課金先の口座を視覚的に簡単に確認でき、課金先を間違えてしまう可能性を低くすることができるとともに、口座の選択操作を簡単にすることができる。
さらに、上記実施の形態１によれば、携帯端末装置１の携帯装置側記憶手段１１に、使用者の有する複数の課金口座についての複数の課金口座情報２２を記憶している場合には、携帯装置側記憶手段１１から複数の課金口座情報を読み出すことで、課金口座の一覧を素早く表示することができる。
さらに、上記実施の形態１によれば、制御サーバ３が、課金口座の指定がなされない場合に、メイン口座を課金先とするようにしたものである。これにより、さらに、主に使用する口座が決まっている場合には、その口座をメイン口座とすれば、その口座への課金する際に選択操作を省略することができ、使用者の利便性が向上する。
さらに、上記実施の形態１によれば、携帯端末装置１が、使用者の享受する商品および／またはサービスの種類と、いずれかの課金口座情報との対応関係を記憶し、商品および／またはサービスを享受して使用者に対して料金が発生した場合に、その商品および／またはサービスと対応関係を有する課金口座情報を出力する。これにより、さらに、使用者が携帯端末装置１を操作して自己の享受する商品やサービスを選択すれば、どの商品やサービスがどの口座に課金されるかを使用者が記憶しておく必要がなくなるとともに、課金先口座の選択を失敗する可能性を低くすることができる。
実施の形態２．
本発明の実施の形態２に係る課金システムは、実施の形態１に係る課金システムにおける携帯端末装置１の代わりに、カード５１を使用するものである。第５図は、本発明の実施の形態２に係る課金システムの構成を示すブロック図である。
第５図において、カード５１は、使用者の顧客ＩＤおよび使用者の開設している複数の課金口座のうちのいずれかの課金口座についての課金口座情報を記憶し、その課金口座情報を書き換え可能であって、顧客ＩＤおよび課金口座情報を読み取り可能な磁気カード、ＩＣカードといった携帯装置である。なお、カード５１に対して課金口座情報を記憶させる際には、例えば、このカード５１用の図示せぬリーダライタを有する専用機器を別途使用するようにしてもよいし、このカード５１用のリーダライタをパーソナルコンピュータに接続し、パーソナルコンピュータを操作して記憶させるようにしてもよい。
また、ＰＯＳ端末２Ａは、各種店舗に設置され、商品等に付されたバーコードなどを読み取り、その商品等の決済を行うレジスタ機能や、商品等の情報を図示せぬセンタなどとの間で授受する端末装置であって、さらに、リーダ６１により、カード５１から出力される顧客ＩＤおよび課金口座情報を読み取り、制御サーバ３へそれらの情報とともにその使用者に対する課金額を送信する端末装置である。
なお、制御サーバ３および課金サーバ４については実施の形態１におけるものと同様であるので、その説明を省略する。
次に、上記課金システムの各装置の動作について説明する。すなわち、本発明の実施の形態２に係る課金方法について説明する。
実施の形態２に係る課金システムにおいては、カード５１に対して使用者が選択した口座についての課金口座情報が記憶されている。そして、店舗などにおいて代金支払いの際に、ＰＯＳ端末２Ａのリーダ６１にカード５１を挿入、接触等すると、リーダ６１がカード５１から顧客ＩＤと課金口座情報を読み取る。なお、顧客ＩＤに対する暗証情報が必要な場合には、例えば、ＰＯＳ端末２Ａに別途入力手段を設けておき、その入力手段に対して使用者が暗証情報を入力するようにする。そして、ＰＯＳ端末２Ａは、これらの情報と課金額を制御サーバ３へ送信する。
なお、制御サーバ３による処理は実施の形態１の場合と同様であるので、省略する。また、実施の形態１と同様に、ＰＯＳ端末２Ａを、オンラインショップを開設している端未装置などとしてもよい。その他、実施の形態１と同様の変更例が可能である。
なお、上記実施の形態２では、カード５１が使用者の顧客ＩＤおよび課金口座情報を記憶しているが、課金口座情報を記憶せずに、制御サーバ３が、顧客データベース４１に記憶されたその使用者の顧客ＩＤに対する複数の課金口座情報をＰＯＳ端末２へ送信し、ＰＯＳ端末２が、制御サーバ３から送信されてきた複数の課金口座情報に基づいて課金口座の一覧を表示し、図示せぬ入力手段に対する使用者による操作に応じて複数の課金口座のうちのいずれかを選択し、選択した課金口座情報を制御サーバ３へ送信するようにしてもよい。
これにより、カード５１に課金口座情報を記憶しておく必要がなくなり、カード５１の製造コストを低くすることができる。
以上のように、上記実施の形態２によれば、実施の形態１と同様に、商品やサービスの料金を複数の口座のうちの所望の口座に課金することができる。また、上記実施の形態１と同様に、ＰＯＳ端末２から制御サーバ３への既存の通信路を使用すれば安価でシステムを実現することができる。また、使用者が課金額を入力などする必要がない。
また、上記実施の形態２によれば、使用者の顧客ＩＤおよび複数の課金口座のうちのいずれかの課金口座についての課金口座情報を記憶し、その課金口座情報を書き換え可能であって、使用者の識別子および課金口座情報を読み取り可能なカード５１を使用する。これにより、さらに、用途に応じた課金口座情報を予めカードに記憶させておくことで、店舗などで簡単に代金決済を行うことができる。
実施の形態３．
本発明の実施の形態３に係る課金システムは、携帯装置としての移動体電話機７１の通話料金を、通話相手に応じた課金先の口座に課金するようにしたものである。第６図は、本発明の実施の形態３に係る課金システムの構成を示すブロック図である。
第６図において、移動体電話機７１は、複数の相手先電話番号を分類して記憶し、通話時にその通話相手の電話番号の属する分類の情報を課金口座情報として送信するＰＨＳ機、携帯電話機などといったものである。
また、移動体電話通信システム７２は、多数の基地局や交換機などを有し、他の移動体電話機や公衆電話網に接続された電話機などとの間で回線を確立し、通話やデータ通信を可能にするとともに、移動体電話機７１により送信された課金口座情報を抽出するシステムである。
さらに、制御サーバ３Ａは、移動体電話通信システム７２に接続され、移動体電話機７１により送信された課金口座情報を移動体電話通信システム７２から受け取るサーバ装置である。
なお、制御サーバ３Ａの内部構成は実施の形態１における制御サーバ３と同様であるが、顧客データベース４１は、使用者の顧客ＩＤとして移動体電話機７１の電話番号を記憶するとともに、その使用者に対応する複数の課金口座情報を、通話相手の電話番号の属する分類に関連付けて記憶する。
また、制御サーバ３Ａの制御手段４３は、移動体電話機７１による通話の際に、その移動体電話機７１の電話番号から使用者を特定し、その移動体電話機７１から移動体電話通信システム７２を介して送信されてくる課金口座情報（すなわち、通話相手の電話番号の属する分類の情報）に基づいて、その通話についての料金の課金先となる課金口座を決定する。
なお、課金サーバ４については実施の形態１におけるものと同様であるので、その説明を省略する。
次に上記課金システムの各装置の動作について説明する。すなわち、本発明の実施の形態３に係る課金方法について説明する。
使用者が移動体電話機７１を操作して通話を行うと、まず、移動体電話機７１から使用者の識別子として自己の電話番号が、通話先の電話番号の属する分類を示す情報とともに、移動体電話通信システム７２へ送信される。
移動体電話通信システム７２は、それらの情報を抽出し、その通話が終了すると、その通話についての料金を課金額として、移動体電話機７１の電話番号、通話先の電話番号の属する分類を示す情報および課金額を制御サーバ３Ａへ送信する。
制御サーバ３Ａは、顧客データベース４１を検索して、その電話番号に基づいて使用者を特定し、その使用者が開設し登録している口座の中から、通話先の電話番号の属する分類に対応付けられた課金口座情報（金融機関、口座種類、口座番号などの情報）により指定される口座を課金先の口座に選択し、その課金口座情報を課金サーバ４へ送信する。なお、予め分類されていない場合には、メイン口座へ課金するようにすればよい。また、例えば月単位で、各課金口座への課金額を集計し、まとめて課金するようにしてもよい。
このようにすることで、例えば、仕事で通話する相手の電話番号を第１の分類に属すように、私的に通話する相手の電話番号を第２の分類の属すように予め設定しておき、第１の分類についての課金先の口座と第２の分類についての課金先の口座を別々にしておけばよい。
なお、上記実施の形態３においては、移動体電話通信システム７２の外側に制御サーバ３Ａがあるが、制御サーバ３Ａを移動体電話通信システム７２内に設けるようにしても勿論よい。
以上のように、上記実施の形態３によれば、実施の形態１と同様に、商品やサービスの料金を複数の口座のうちの所望の口座に課金することができる。
また、上記実施の形態３によれば、移動体電話機７１が、複数の相手先電話番号を分類して記憶し、通話時にその通話相手の電話番号の属する分類の情報を課金口座情報として送信し、また、制御サーバ３Ａの顧客データベース４１が、使用者の識別子として携帯装置の電話番号を記憶するとともに、その使用者に対応する複数の課金口座情報を通話相手の電話番号の属する分類に対応付けて記憶し、制御サーバ３Ａの制御手段４３が、移動体電話機７１による通話の際に、その移動体電話機７１の電話番号から使用者を特定し、その移動体電話機７１から送信されてくる通話相手の電話番号の属する分類に対応する課金口座情報に基づいて、その通話についての料金の課金先となる課金口座を決定する。これにより、移動体電話機７１の通話料金を、通話相手に応じた課金先の口座に自動的に課金することができる。
実施の形態４．
本発明の実施の形態４に係る課金システムは、実施の形態３に係る課金システムにおいて、移動体電話機７１に課金口座情報を記憶し、通話相手の電話番号に応じて移動体電話機７１が課金口座情報を選択し、選択した課金口座情報を、移動体電話通信システム７２を介して制御サーバ３Ａへ送信し、制御サーバ３Ａが、その課金口座情報により課金先の課金口座を決定するようにしたものである。
すなわち、使用者が通話をすると、その通話先の電話番号に関連付けられている課金口座情報が移動体電話機７１から移動体電話通信システム７２へ送信され、制御サーバ３Ａへ供給される。なお、課金口座情報を送信する際には、例えば暗号技術などにより、通信路の安全性を確保する。
なお、移動体電話機７１は、複数の相手先電話番号を分類して記憶するとともに、複数の課金口座についての課金口座情報を記憶し、この相手先電話番号の分類を使用者の開設する複数の課金口座のいずれかに関連付けておき、通話時にその通話相手の電話番号の属する分類に関連付けられている課金口座についての課金口座情報を送信するようにしてもよい。
この場合、例えば、移動体電話機７１は、電話番号Ａおよび電話番号Ｂを「仕事」という分類に関連付けて記憶し、さらに、分類「仕事」に関連付けて、仕事についての課金先の口座についての課金口座情報Ｃを記憶する。そして、電話番号Ａへの通話の場合には、移動体電話機７１は、電話番号Ａの分類「仕事」に関連付けられた課金口座情報Ｃを送信する。
なお、実施の形態４においては、制御サーバ３Ａには、顧客データベース４１は特に必要ない。
以上のように、上記実施の形態４によれば、実施の形態３と同様に、移動体電話機７１の通話料金を、複数の口座のうちの所望の口座に課金することができる。また、移動体電話機７１に課金口座情報が登録されているため、使用者が移動体電話機７１を適宜操作して、課金口座情報を簡単に編集することができる。
また、上記実施の形態４によれば、相手先電話番号の分類に対して課金口座情報が関連付けられる場合には、例えば仕事、私用といった、使用者の認識し易い分類に基づいて課金先が区別される。
なお、上記実施の形態１，２，４では、携帯端末装置１、カード５１および移動体電話機７１のいずれかから制御サーバへ、課金口座情報として、顧客データベース４１に記憶されているものと同形式のものを送信しているが、課金口座情報をそれぞれ指し示す識別子を課金口座情報として送信するようにしてもよい。その場合、その識別子と課金口座情報との対応関係を予め顧客データベース４１に記憶しておき、その対応関係に基づいてその識別子から課金口座情報を特定する。これにより、課金口座情報そのものが送信されることがないので、口座の情報が漏洩する可能性がより低くなる。
産業上の利用可能性
本発明の課金システムでは、商品やサービスの料金を、複数の口座のうちの所望の口座に課金することができる。
【図面の簡単な説明】
第１図は、本発明の実施の形態１に係る課金システムの構成を示すブロック図である。第２図は、第１図における携帯端末装置の構成を示すブロック図である。第３図は、第１図における制御サーバの構成を示すブロック図である。第４図は、第１図における制御サーバの有する顧客データベースの一例を示す図である。第５図は、本発明の実施の形態２に係る課金システムの構成を示すブロック図である。第６図は、本発明の実施の形態３に係る課金システムの構成を示すブロック図である。
【図１】
2002082336.tif 000003
【図２】
2002082336.tif 000004
【図３】
2002082336.tif 000005
【図４】
2002082336.tif 000006
【図５】
2002082336.tif 000007
【図６】
2002082336.tif 000008
【国際調査報告】
2002082336.tif 000009
2002082336.tif 000010
2002082336.tif 000011
2002082336.tif 000012